(57)【要約】【課題】  光コネクタの周囲に支障物品が配置されていても、光コネクタをアダプタ又は光送受信モジュール等の相手側から直ちに、かつ、簡便にロック解除できる光コネクタのロック解除装置を提供する。【解決手段】  光コネクタ１は、ハウジング２の本体部２ａと、本体部と一体に形成され、かつ、光送受信モジュール１１の孔１１ａとの嵌合状態をロックされる被ロック部２ｂ１が設けられたロックレバー２ｂと、ハウジングに嵌合離脱方向にスライド可能に保持されるスライドカバー４とを有する。ロックレバーは、被ロック部のロック解除を行うために傾斜面の被操作部２ｂ３を有する。スライドカバーは、ハウジングにスライド可能に保持される本体部４ａと、本体部４ａから離脱方向に延設された操作部４ｂとを有する。本体部４ａは、ロックレバーの被操作部と当接して操作する当接部４ａ２を有する。スライドカバーが矢印方向にスライドすると、当接部が被操作部を操作して被ロック部のロック解除を行う。【選択図】  図４
2005173173.tif 000002
【特許請求の範囲】
【請求項１】
光コネクタは、ハウジングの本体部と、前記ハウジングの本体部と一体に形成され、かつ、相手側との嵌合状態をロックされる被ロック部が設けられたロックレバーと、前記ハウジングに嵌合離脱方向にスライド可能に保持されるスライドカバーとを有し、
前記ロックレバーは、被ロック部のロック解除を行うために被操作部を有し、
前記スライドカバーは、前記ハウジングにスライド可能に保持される本体部と、前記本体部から離脱方向に延設された操作部とを有し、
前記スライドカバーの本体部は、前記ロックレバーの被操作部と当接して操作する当接部を有し、
前記スライドカバーの操作部を離脱方向に操作すると、前記当接部が前記ロックレバーの被操作部を操作して前記被ロック部のロック解除を行い、かつ、前記光コネクタが前記相手側から離脱することを特徴とする光コネクタのロック解除装置。
【請求項２】
前記スライドカバーは前記ハウジングに対して着脱可能に構成されることを特徴とする請求項１記載の光コネクタのロック解除装置。
【発明の詳細な説明】
【技術分野】
【０００１】
本発明は、光コネクタと中継アダプタ又は光送受信モジュール等の相手側とのロックを解除する装置に関する。
【背景技術】
【０００２】
第１の従来の光コネクタのロック解除装置について図７と図８を参照して説明する。図７は光コネクタ２１及び電気コネクタ２３の光送受信モジュール２４への取り付け関係の断面図、図８は光コネクタ２１の拡大斜視図を、それぞれ示す。
【０００３】
図７（Ａ）に示されるように、光コネクタ２１と電気コネクタ２３とが光送受信モジュール２４に取り付けられている。光コネクタ２１には、上部にロックレバー２１ａが設けられ、中央部に光ファイバ２２が保持されている。
【０００４】
光コネクタ２１の光送受信モジュール２４からの取り外し方の要点を図８を参照して説明する。まず、ロックレバー２１ａの上面の突起部２１ａ１を手指によって押さえると、ロックレバー２１ａの先端付近の被ロック部２１ａ２は下方に変位して光送受信モジュール２４のロック部（図７には示されていない。）から外れる。続いて、突起部２１ａ１を手指によって押さえた状態を維持しながら、光コネクタ２１を光送受信モジュール２４から引き抜く。すなわち、突起部２１ａ１を押さえることと光コネクタ２１を引き抜くことの２つのアクションが必要である。
【０００５】
光コネクタ２１を光送受信モジュール２４から取り外す場合、図７（Ａ）に示されるように、光コネクタ２１と電気コネクタ２３とが近接して配置されているため、両コネクタ２１，２３の間に手指を矢印方向に挿入する隙間がない。したがって、ロックレバー２１ａを操作することができない。
【０００６】
そこで、図７（Ｂ）に示されるように、先に電気コネクタ２３を光送受信モジュール２４から取り外す。すると、ロックレバー２１ａの上方に支障物が存在しないので、次に手指によってロックレバー２１ａを矢印方向に押して光コネクタ２１を光送受信モジュール２４から取り外すことができる。
【０００７】
第２の従来の光コネクタのロック解除装置について図９を参照して説明する（例えば、特許文献１参照。）。
【０００８】
図９（Ａ）に示されるように、光コネクタ３１は、光コネクタハウジング３２と、光コネクタハウジング３２内にフェルール用筒状体３３及びつば部材３４から構成されるフェルール３５と、つば部材３４の後端の外周面に装着される圧縮ばね３６と、圧縮ばね３６を介してつば部材３４の後端にはまるストッパ３７とを有する。光コネクタハウジング３２には、弾性変形可能なラッチ３２ａが一体に形成され、ラッチ３２ａの先端は、突出部３２ａ１を有する。光コネクタハウジング３２の後方には、光ファイバを保護して変形による断線等を防止するブーツ３８が連結される。
【０００９】
ストッパ３７の外周面に設けられた係合溝３７ａには、ラッチ解除部材３９の係合部３９ａが係合する。ラッチ解除部材３９には、弾性変形可能なラッチ解除部３９ｂが設けられ、ラッチ解除部３９ｂの先端上部は傾斜摺接面３９ｂ１を有し、ラッチ解除部３９ｂの先端下部は突出部３９ｂ２を有する。
【００１０】
ハウジング４０には、光コネクタ３１用の挿入孔４０ａが形成され、挿入孔４０ａの先端部側に傾斜摺接面４０ｂが形成され、また、挿入孔４０ａの後端部側にラッチ解除部材３９の脱出を防止する規制ピン４１が設けられている。
【００１１】
光コネクタ３１を図９（Ｂ）に示されるアダプタ４２とのロックから解除する操作を説明する。光コネクタ３１がアダプタ４２にロックされている図９（Ａ）の状態において、ハウジング４０を図９（Ｂ）に示される矢印方向（右方向）に移動すると、傾斜摺接面４０ｂはラッチ解除部材３９の傾斜摺接面３９ｂ１を矢印方向（下方向）に押し下げる。すると、ラッチ解除部材３９の突出部３９ｂ２が光コネクタハウジング３２のラッチ３２ａを押し下げるので、ラッチ３２ａはアダプタ４２から外れる。したがって、光コネクタ３１は、アダプタ４２とのロックから解除される。
【特許文献１】特開２００１−１４１９６１号公報（第３頁第３欄第１０行−第４頁第６欄第１０行、図１，２，４）
【発明の開示】
【発明が解決しようとする課題】
【００１２】
前記第１の従来の光コネクタのロック解除装置においては、光コネクタ２１と電気コネクタ２３との隙間が狭いため、両コネクタ２１，２３の間に手指を挿入することができない。また、光コネクタ２１の光送受信モジュール２４からのロック解除に際しては、ロックレバー２１ａの突起部２１ａ１を押さえることと光コネクタ２１を引き抜くことの２つのアクションが必要であるので、面倒である。
【００１３】
前記第２の従来の光コネクタのロック解除装置においては、ラッチ解除部３９ｂとハウジング４０の２つの余分な部材が必要である。また、ハウジング４０の周囲に支障物品が配置されていると、直ちには光コネクタ３１をアダプタ４２からロック解除することができない。
【００１４】
そこで、本発明は、前記両従来の技術の欠点を改良し、光コネクタの周囲に支障物品が配置されていても、光コネクタをアダプタ又は光送受信モジュール等の相手側から直ちに、かつ、簡便にロック解除することができる光コネクタのロック解除装置を提供しようとするものである。
【課題を解決するための手段】
【００１５】
本発明は、前記課題を解決するため、次の手段を解決する。
【００１６】
１．光コネクタは、ハウジングの本体部と、前記ハウジングの本体部と一体に形成され、かつ、相手側との嵌合状態をロックされる被ロック部が設けられたロックレバーと、前記ハウジングに嵌合離脱方向にスライド可能に保持されるスライドカバーとを有し、前記ロックレバーは、被ロック部のロック解除を行うために被操作部を有し、前記スライドカバーは、前記ハウジングにスライド可能に保持される本体部と、前記本体部から離脱方向に延設された操作部とを有し、前記スライドカバーの本体部は、前記ロックレバーの被操作部と当接して操作する当接部を有し、前記スライドカバーの操作部を離脱方向に操作すると、前記当接部が前記ロックレバーの被操作部を操作して前記被ロック部のロック解除を行い、かつ、前記光コネクタが前記相手側から離脱する光コネクタのロック解除装置。
【００１７】
２．前記スライドカバーは前記ハウジングに対して着脱可能に構成される前記１記載の光コネクタのロック解除装置。
【発明の効果】
【００１８】
明細書の説明から明らかなように、本発明は、次の効果を奏する。
【００１９】
１．光コネクタの周囲に支障物品が配置されていても、光コネクタをアダプタ又は光送受信モジュール等の相手側から直ちに、かつ、簡便にロック解除することができる。
【００２０】
２．スライドカバーの操作部の単純な操作によって、光コネクタを相手側に対して嵌合離脱させるので、光コネクタの接続非接続の切換に要する時間を短縮することができる。
【００２１】
３．多数の光コネクタ等を高密度に近接して相手側に搭載することができるので、相手側が小型化する。
【００２２】
４．スライドカバーはハウジングに対して着脱可能であるので、光コネクタの組立分解が簡便である。
【発明を実施するための最良の形態】
【００２３】
本発明の４つの実施例の光コネクタのロック解除装置について説明する。
【実施例１】
【００２４】
本発明の実施例１について図１〜図３を参照して説明する。図１（Ａ）は光コネクタの斜視図、図１（Ｂ）は光コネクタが光送受信モジュール（図示せず、実施例２の図４参照）にロックされている状態の断面図、図１（Ｃ）は光コネクタが光送受信モジュールからロックを解除された状態の断面図と要部の拡大断面図を、それぞれ示す。
【００２５】
光コネクタ１は、合成樹脂製のハウジング２、ハウジング２に保持される一対のフェルール３及びハウジング２に若干スライド可能に装着される合成樹脂製のスライドカバー４を有する。
【００２６】
ハウジング２の本体部２ａには、図１（Ｂ）に示されるように、被ロック部２ｂ１と凸状の被操作部２ｂ２を有するロックレバー２ｂが一体に形成され、被操作部２ｂ２の右側付近は弾性変形可能である。被ロック部２ｂ１は光送受信モジュール１１に設けられた孔１１ａ（図５参照）に対して挿入脱出可能であり、被操作部２ｂ２は後述するスライドカバー４の傾斜面に形成された当接部４ａ１によって押圧される。
【００２７】
スライドカバー４は、図１（Ｃ）に示されるように、ハウジング２にスライド可能に保持される本体部４ａと本体部４ａから離脱方向に延設された操作部４ｂとから一体に形成され、本体部４ａの内側にロックレバー２ｂの被操作部２ｂ２を押圧するための当接部４ａ１が設けられ、操作部４ｂの一端に手指の引掛部４ｂ１が設けられる。
【００２８】
図１（Ｂ）の状態において、引掛部４ｂ１に手指を引掛けて図１（Ｃ）の矢印方向に引くと、当接部４ａ１はハウジング２の被操作部２ｂ２を下方と右方に押圧する。すると、ロックレバー２ｂが矢印方向に直交する方向に弾性変形するため、被ロック部２ｂ１は光送受信モジュール１１の孔１１ａから脱出するので、スライドカバー４とハウジング２は一体的に右方にスライドする。したがって、光コネクタは、光送受信モジュール１１からロックを解除される。
【００２９】
図１（Ｃ）の状態において、引掛部４ｂ１を手指によって反矢印方向に押すと、スライドカバー４がハウジング２を押すので、スライドカバー４とハウジング２は図１（Ｂ）の状態に戻る。この点の構造と動作については、実施例２において、図４（Ｂ），（Ｃ）を参照して説明する。
【００３０】
光コネクタ１と電気コネクタ１２が、光送受信モジュール１１に２行３列に隣接して配設された状態の斜視図と側面図を、それぞれ図２と図３に示す。両コネクタ１，１２の間に手指を挿入できなくても、スライドカバー４の引掛部４ｂ１に手指を引掛けて矢印方向に引くことによって、光コネクタ１を光送受信モジュール１１からロック解除することができる。
【００３１】
スライドカバー４をハウジング２に対して嵌合離脱方向とこの方向に直交する方向（図１（Ｂ），（Ｃ））における上下方向）に移動することによって着脱することができる。
【実施例２】
【００３２】
本発明の実施例２について図４を参照して説明する。実施例２以下についての説明は、既述の実施例と同様な点の説明を省略し、相違する点のみの説明を行う。図４（Ａ）は光コネクタの斜視図、図４（Ｂ）は光コネクタが光送受信モジュールにロックされている状態の断面図、図４（Ｃ）は光コネクタが光送受信モジュールからロックを解除された状態の断面図を、それぞれ示す。
【００３３】
実施例２は、実施例１におけるロックレバー２ｂの被操作部２ｂ２とスライドカバー４の当接部４ａ１の関係を逆に改造したものである。すなわち、実施例２においては、スライドカバー４に凸状の当接部４ａ２を設け、ロックレバー２ｂに傾斜面の被操作部２ｂ３を設ける。
【００３４】
また、実施例２においては、ハウジング２の本体部２ａの下側中央に凹部２ａ１と凹部２ａ２を設け、スライドカバー４の操作部４ｂの先端上側に台形の凸部４ｂ２と凸部４ｂ３を設ける。スライドカバー４の引掛部４ｂ１に手指を引掛けて矢印方向に引くと、凸部４ｂ２が凹部２ａ１を押す。引掛部４ｂ１を反矢印方向に押すと、凸部４ｂ３が凹部２ａ２を押す。
【００３５】
なお、ハウジング２の本体部２ａの両側面に湾曲凹部２ａ３を形成する。光コネクタ１を光送受信モジュール１１からロック解除するとき、まず、引掛部４ｂ１を矢印方向に引くことによってロックレバー２ｂの被ロック部２ｂ１を光送受信モジュール１１の孔１１ａから脱出させ、次に、ハウジング２の両湾曲凹部２ａ３を手指で挟持して光コネクタ１を光送受信モジュール１１から離脱することができる。
【実施例３】
【００３６】
本発明の実施例３について図５を参照して説明する。
【００３７】
実施例３は、実施例１におけるスライドカバー４の本体部４ａと操作部４ｂの配置関係を上下逆に改造し、更に、引掛部４ｂ１を凹凸形状の滑り止め４ｂ４に改造したものである。
【実施例４】
【００３８】
本発明の実施例４について図６を参照して説明する。
【００３９】
実施例４は、実施例３におけるスライドカバー４の滑り止め４ｂ４の下部に断面Ｌ字形状の光ファイバ保持板４ｂ５を一体に形成する。光ファイバ保持板４ｂ５は、各光ファイバ５の折曲された部分の２面を被覆することによって外力から保護する。
【図面の簡単な説明】
【００４０】
【図１】本発明の実施例１に係る光コネクタの諸図であり、（Ａ）は斜視図、（Ｂ）はロック状態の断面図、（Ｃ）はロックが解除された状態の断面図を、それぞれ示す。
【図２】６個の同光コネクタと６個の電気コネクタが光送受信モジュールに配設された状態の斜視図である。
【図３】６個の同光コネクタと６個の同電気コネクタが同光送受信モジュールに配設された状態の側面図である。
【図４】本発明の実施例２に係る光コネクタの諸図であり、（Ａ）は斜視図、（Ｂ）は同光コネクタが光送受信モジュールにロックされた状態の断面図、（Ｃ）はロックが解除された状態の断面図を、それぞれ示す。
【図５】本発明の実施例３に係る光コネクタのロック状態の断面図である。
【図６】本発明の実施例４に係る光コネクタのロック状態の断面図である。
【図７】（Ａ）は第１の従来の光コネクタと電気コネクタが光送受信モジュールに取り付けられた状態の断面図、（Ｂ）は（Ａ）における同電気コネクタが同光送受信モジュールから取り外された状態の断面図を、それぞれ示す。
【図８】同光コネクタの斜視図である。
【図９】第２の従来の光コネクタの断面図であり、（Ａ）はロック状態、（Ｂ）はロックが解除された状態を、それぞれ示す。
【符号の説明】
【００４１】
１  光コネクタ
２  ハウジング
２ａ  本体部
２ａ１  凹部
２ａ２  凹部
２ａ３  湾曲凹部
２ｂ  ロックレバー
２ｂ１  被ロック部
２ｂ２  被操作部
２ｂ３  被操作部
３  フェルール
４  スライドカバー
４ａ  本体部
４ａ１  当接部
４ａ２  当接部
４ｂ  操作部
４ｂ１  引掛部
４ｂ２  凸部
４ｂ３  凸部
４ｂ４  滑り止め
４ｂ５  光ファイバ保持板
５  光ファイバ
１１  光送受信モジュール
１１ａ  孔
１２  電気コネクタ
【図１】
2005173173.tif 000003
【図２】
2005173173.tif 000004
【図３】
2005173173.tif 000005
【図４】
2005173173.tif 000006
【図５】
2005173173.tif 000007
【図６】
2005173173.tif 000008
【図７】
2005173173.tif 000009
【図８】
2005173173.tif 000010
【図９】
2005173173.tif 000011